(57)【要約】      （修正有）【課題】熱転写印画装置で熱転写シート又は受像シートの品種を高精度に識別することができる熱転写シート又は受像シート及び熱転写印画装置を提供する。【解決手段】熱転写シート１は、基材フィルムと、基材フィルム上に設けられた染料層とを備える。熱転写シートは、長手方向の一端側が第１軸芯７に接合され、他端側が第２軸芯６に接合され、熱転写シートロール体は、第１軸芯に熱転写シートを巻き付けたものである。熱転写シートには、コード情報ＢＣ１が印字された部材２が長手方向の一端部又は他端部に設けられ、部材のコード情報印字部分の少なくとも一部が、熱転写シートの長側辺から張り出している。【選択図】図１
2019155735.tif 000002
【特許請求の範囲】
【請求項１】
基材フィルムと、前記基材フィルム上に設けられた染料層とを備える熱転写シートの長手方向の一端側を第１軸芯に接合し、他端側を第２軸芯に接合し、前記第１軸芯に前記熱転写シートを巻き付けた熱転写シートロール体であって、
コード情報が印字された部材が前記熱転写シートの前記長手方向の一端部又は他端部に設けられ、
前記部材のコード情報印字部分の少なくとも一部が、前記熱転写シートの長側辺から張り出していることを特徴とする熱転写シートロール体。
【請求項２】
前記部材は前記長手方向の前記一端部に設けられ、前記コード情報印字部分の少なくとも一部が前記熱転写シートロール体の端面から張り出していることを特徴とする請求項１に記載の熱転写シートロール体。
【請求項３】
前記部材は前記コード情報が印字されたラベルであり、
前記ラベルが前記熱転写シートに貼付されていることを特徴とする請求項１又は２に記載の熱転写シートロール体。
【請求項４】
前記部材は前記コード情報が印字されたラベルであり、
前記熱転写シートの前記一端側と前記第１軸芯とを接合する接合テープに前記ラベルが貼付されていることを特徴とする請求項１又は２に記載の熱転写シートロール体。
【請求項５】
前記部材は前記コード情報が印字されたラベルであり、
前記熱転写シートの前記一端側と前記第１軸芯とを連結するフィルムが設けられており、
前記ラベルは前記フィルムに貼付されていることを特徴とする請求項１又は２に記載の熱転写シートロール体。
【請求項６】
前記熱転写シートの前記一端側と前記第１軸芯とを連結するフィルムが設けられており、
前記フィルムに前記コード情報が印字されていることを特徴とする請求項１又は２に記載の熱転写シートロール体。
【請求項７】
前記コード情報は、前記熱転写シートの品種、及び前記熱転写シート中間加工時の製造情報に対応する情報を含むことを特徴とする請求項１乃至６のいずれか１項に記載の熱転写シートロール体。
【請求項８】
基材と、前記基材の一方の面側に設けられた受容層とを備える受像シートを巻回した受像シートロール体であって、
コード情報が印字されたラベルが前記受像シートの長手方向の一端部に貼付されており、
前記ラベルのコード情報印字部分の少なくとも一部が、前記受像シートロール体の端面から張り出していることを特徴とする受像シートロール体。
【請求項９】
前記ラベルは、前記コード情報が前記一方の面側を向くように貼付されていることを特徴とする請求項８に記載の受像シートロール体。
【請求項１０】
前記コード情報は、前記受像シートの品種、及び前記受像シート中間加工時の製造情報に対応する情報を含むことを特徴とする請求項８又は９に記載の受像シートロール体。
【請求項１１】
サーマルヘッド及びプラテンロールを有し、請求項１乃至７のいずれか１項に記載の熱転写シートロール体から繰り出された前記熱転写シートと、受像シートとを重ね合わせて、前記サーマルヘッドと前記プラテンロールとの間を搬送させるとともに、前記サーマルヘッドが前記熱転写シートを加熱して染料を転写し、前記受像シートに画像を形成する熱転写印画装置であって、
前記熱転写シートロール体に設けられた前記部材からコード情報を読み取るセンサと、
前記センサの読み取り結果から前記熱転写シートの品種を識別する識別部と、
を備える熱転写印画装置。
【請求項１２】
前記識別部が識別した前記熱転写シートの品種に応じた印画条件で印画処理を行うことを特徴とする請求項１１に記載の熱転写印画装置。
【請求項１３】
サーマルヘッド及びプラテンロールを有し、染料層を含む熱転写シートと、請求項８乃至１０のいずれか１項に記載の受像シートロール体から繰り出された前記受像シートとを重ね合わせて、前記サーマルヘッドと前記プラテンロールとの間を搬送させるとともに、前記サーマルヘッドが前記熱転写シートを加熱して染料を転写し、前記受像シートに画像を形成する熱転写印画装置であって、
前記受像シートロール体に設けられた前記ラベルからコード情報を読み取るセンサと、
前記センサの読み取り結果から前記受像シートの品種を識別する識別部と、
を備える熱転写印画装置。
【請求項１４】
前記識別部が識別した前記受像シートの品種に応じた印画条件で印画処理を行うことを特徴とする請求項１３に記載の熱転写印画装置。
【発明の詳細な説明】
【技術分野】
【０００１】
本発明は、熱転写シートロール体、受像シートロール体及び熱転写印画装置に関する。
【背景技術】
【０００２】
熱転写印画装置にあっては、昇華転写用染料を記録材とし、これをポリエステルフィルム等の基材上に適当なバインダーで担持させた染料層を有する熱転写シート（昇華型熱転写シート）から、昇華染料で染着可能な被転写材、例えば、紙やプラスチックフィルム等に染料受容層を形成した受像シート上に昇華染料を熱転写し、各種のフルカラー画像を形成する。
【０００３】
近年、熱転写記録技術の進歩により、熱転写シートは、その種類が多岐にわたるようになっており、これらの多種類の熱転写シートを一機種の熱転写印画装置で使用する場合が増えている。所望の印画性能や耐久性を得るために、熱転写シートの品種を識別し、品種に応じて熱転写シートの加熱エネルギーを制御する必要がある。
【０００４】
特許文献１には、カセットケース内に熱転写シートを収容し、カセットケース外面に熱転写シートの記録可能画面数に関する情報を示すバーコードラベルを貼り付ける構成が開示されている。しかし、カセットケースと、収容する熱転写シートとを合致させるために、カセットケース及び熱転写シートの両方に識別マークを設け、照合した上でカセットケースに熱転写シートを収容する必要があった。
【０００５】
特許文献２には、熱転写シートを巻き付けた巻芯の端面のＩＤタグホルダに、熱転写シートに関する固有情報を記憶したＩＤタグを埋設する構成が開示されている。特許文献３には、巻芯の端部にアダプタを取り付け、アダプタの外周面にバーコードやＩＤタグを取り付ける構成が開示されている。しかし、ＩＤタグホルダやアダプタ等の部品を準備し、巻芯に組み付ける作業が必要であった。また、ＩＤタグは高価であり、コストがかかっていた。
【０００６】
特許文献４には、熱転写シートをボビンに巻き付け、熱転写シートによって被覆されていないボビン表面の露出箇所に、２次元コードを直接印刷形成するか、又は２次元コードを印刷した基材を接着剤で貼り付ける構成が開示されている。しかし、曲率のあるボビン表面に２次元コードを印刷したり、基材を貼り付けたりすることは困難であった。また、ボビン表面に２次元コードを直接印刷した場合、ボビンを再利用できなかった。ボビン表面に基材を貼り付けた場合、ボビンを再利用するために、基材を剥がす手間がかかっていた。基材を容易に剥がせるように接着力を小さくすると、外力や経時でボビンから基材が剥離・落下することがあった。
【０００７】
特許文献５には、熱転写シートのリーダフィルムに、製造情報を記録したバーコードを設ける構成が開示されている。しかし、リーダフィルムにバーコードを設けているため、熱転写シートの使用途中では、巻取側ロールに巻き取られた熱転写シートによってバーコードが覆われて、情報を読み取ることができなかった。
【０００８】
特許文献１〜５に記載されている通り、熱転写シートの情報を熱転写シート側から検出する様々な手法が提案されているが、受像シートに品種等の各種情報を付与することについては十分な検討、実用化が進んでいなかった。例えば、カセットや巻芯の無い受像紙ロールには、特許文献２〜４の手法は適用できない。また、受像シートには巻取軸が無いため、リーダフィルムは使用されず、特許文献５の手法も適用できない。
【先行技術文献】
【特許文献】
【０００９】
【特許文献１】実開昭６３−６８４５３号公報
【特許文献２】特開２００５−１９９５８２号公報
【特許文献３】米国特許第７５９４７７１号明細書
【特許文献４】特許第６０４０６６８号公報
【特許文献５】特開平９−２９０５５１号公報
【発明の概要】
【発明が解決しようとする課題】
【００１０】
本発明は、上記従来の実状に鑑みてなされたものであり、熱転写印画装置で品種を高精度に識別可能な熱転写シートロール体及び受像シートロール体を提供することを課題とする。また、本発明は、装填された熱転写シート又は受像シートを識別して印画処理を行う熱転写印画装置を提供することを課題とする。
【課題を解決するための手段】
【００１１】
本発明の熱転写シートロール体は、基材フィルムと、前記基材フィルム上に設けられた染料層とを備える熱転写シートの長手方向の一端側を第１軸芯に接合し、他端側を第２軸芯に接合し、前記第１軸芯に前記熱転写シートを巻き付けた熱転写シートロール体であって、コード情報が印字された部材が前記熱転写シートの前記長手方向の一端部又は他端部に設けられ、前記部材のコード情報印字部分の少なくとも一部が、前記熱転写シートの長側辺から張り出しているものである。
【００１２】
本発明の一態様では、前記部材は前記長手方向の前記一端部に設けられ、前記コード情報印字部分の少なくとも一部が前記熱転写シートロール体の端面から張り出している。
【００１３】
本発明の一態様では、前記部材は前記コード情報が印字されたラベルであり、前記ラベルが前記熱転写シートに貼付されている。
【００１４】
本発明の一態様では、前記部材は前記コード情報が印字されたラベルであり、前記熱転写シートの前記一端側と前記第１軸芯とを接合する接合テープに前記ラベルが貼付されている。
【００１５】
本発明の一態様では、前記部材は前記コード情報が印字されたラベルであり、前記熱転写シートの前記一端側と前記第１軸芯とを連結するフィルムが設けられており、前記ラベルは前記フィルムに貼付されている。
【００１６】
本発明の一態様では、前記熱転写シートの前記一端側と前記第１軸芯とを連結するフィルムが設けられており、前記フィルムに前記コード情報が印字されている。
【００１７】
本発明の一態様では、前記コード情報は、前記熱転写シートの品種、及び前記熱転写シート中間加工時の製造情報に対応する情報を含む。
【００１８】
本発明の受像シートロール体は、基材と、前記基材の一方の面側に設けられた受容層とを備える受像シートを巻回した受像シートロール体であって、コード情報が印字されたラベルが前記受像シートの長手方向の一端部に貼付されており、前記ラベルのコード情報印字部分の少なくとも一部が、前記受像シートロール体の端面から張り出しているものである。
【００１９】
本発明の一態様では、前記ラベルは、前記コード情報が前記一方の面側を向くように貼付されている。
【００２０】
本発明の一態様では、前記コード情報は、前記受像シートの品種、及び前記受像シート中間加工時の製造情報に対応する情報を含む。
【００２１】
本発明の熱転写印画装置は、サーマルヘッド及びプラテンロールを有し、本発明の熱転写シートロール体から繰り出された前記熱転写シートと、受像シートとを重ね合わせて、前記サーマルヘッドと前記プラテンロールとの間を搬送させるとともに、前記サーマルヘッドが前記熱転写シートを加熱して染料を転写し、前記受像シートに画像を形成する熱転写印画装置であって、前記熱転写シートロール体に設けられた前記部材からコード情報を読み取るセンサと、前記センサの読み取り結果から前記熱転写シートの品種を識別する識別部と、を備えるものである。
【００２２】
本発明の一態様では、前記識別部が識別した前記熱転写シートの品種に応じた印画条件で印画処理を行う。
【００２３】
本発明の熱転写印画装置は、サーマルヘッド及びプラテンロールを有し、染料層を含む熱転写シートと、本発明の受像シートロール体から繰り出された前記受像シートとを重ね合わせて、前記サーマルヘッドと前記プラテンロールとの間を搬送させるとともに、前記サーマルヘッドが前記熱転写シートを加熱して染料を転写し、前記受像シートに画像を形成する熱転写印画装置であって、前記受像シートロール体に設けられたラベルからコード情報を読み取るセンサと、前記センサの読み取り結果から前記受像シートの品種を識別する識別部と、を備えるものである。
【００２４】
本発明の一態様では、前記識別部が識別した前記受像シートの品種に応じた印画条件で印画処理を行う。
【発明の効果】
【００２５】
本発明によれば、熱転写印画装置において熱転写シートや受像シートの品種を高精度に識別できる。
【図面の簡単な説明】
【００２６】
【図１】（ａ）は本発明の実施形態に係る熱転写シートの平面図であり、（ｂ）は軸芯に巻き付けられた熱転写シートの平面図である。
【図２】（ａ）は受像シートの平面図であり、（ｂ）は受像シートロールの斜視図である。
【図３】同実施形態に係る熱転写印画装置の概略構成図である。
【図４】熱転写シートからの情報読み取り例を示す図である。
【図５】受像シートからの情報読み取り例を示す図である。
【図６】（ａ）〜（ｄ）は変形例による熱転写シートの平面図である。
【図７】（ａ）〜（ｅ）は変形例による熱転写シートの平面図である。
【発明を実施するための形態】
【００２７】
以下、図面を参照して実施の形態について説明する。図１（ａ）は実施の形態に係る熱転写シート１を引き伸ばした状態の平面図であり、図１（ｂ）は熱転写シート１を供給軸芯７に巻き取った状態の平面図である。この熱転写シート１では、基材フィルムの一方の面上にイエロー染料を含むＹ層３、マゼンタ染料を含むＭ層４、及びシアン染料を含むＣ層５が面順次に設けられている。Ｃ層５に続いて保護層が設けられていてもよい。
【００２８】
Ｙ層３、Ｍ層４及びＣ層５は、それぞれグラビア印刷、スクリーン印刷、オフセット印刷などにより基材フィルム上に形成されている。
【００２９】
熱転写シート１の長手方向の先端側は、接合テープ８により巻取軸芯６に接合されている。熱転写シート１の長手方向の後端側は、接合テープ９により供給軸芯７に接合されている。巻取軸芯６及び供給軸芯７の長さは、熱転写シート１の幅（短手方向の長さ）よりも長くなっている。
【００３０】
熱転写シート１の後端の染料層（図１（ａ）ではＣ層５が後端になっている）には、バーコードＢＣ１を印字したラベル２が接着剤等により貼付されている。ラベル２は、バーコード印字部分の少なくとも一部が熱転写シート１に重ならないように、すなわち熱転写シート１の端縁（長側辺）１ａよりも幅方向の外側に張り出してバーコード印字部分が位置するように貼付される。また、後述するように、熱転写シート１を供給軸芯７に巻き付けた際にバーコードＢＣ１が外向きになるようにラベル２が貼付される。ラベル２の材料は特に限定されず、樹脂フィルムや紙類を使用できる。
【００３１】
バーコードＢＣ１は、熱転写シート１の品種に対応する情報を示す。また、バーコードＢＣ１に、スリット加工、小巻加工ロット等のシート加工途中の製造情報やトレーサビリティ情報を付与してもよい。
【００３２】
熱転写シート１は、供給軸芯７に巻き付けた状態で出荷され、後述する熱転写印画装置に装填される。上述したように、ラベル２のバーコード印字部分は、熱転写シート１の端縁１ａよりも外側に位置する。そのため、図１（ｂ）に示すように、熱転写シート１を供給軸芯７にロール状に巻き付けた状態において、ラベル２のバーコード印字部分は熱転写シートロール１Ｂの端面よりも軸芯方向外側に張り出して位置し、バーコードＢＣ１が見えるようになっている。
【００３３】
熱転写シート１を供給軸芯７に巻き付けると、ラベル２は供給軸芯７の外周面に沿って延在する。熱転写シート１の長手方向のラベル２の長さＬ１（図１（ａ）参照）を、供給軸芯７の外周長以下とし、熱転写シート１を供給軸芯７に巻き付けた際にラベル２の両端が重ならないようにすることが好ましい。
【００３４】
また、ラベル２の熱転写シート１の端縁１ａから外側に張り出す長さＬ２は、端縁１ａと供給軸芯７の端部との間隔Ｓよりも短くすることが好ましい。これにより、熱転写シート１を供給軸芯７に巻き付けた状態において、ラベル２が供給軸芯７の端部よりも内側に位置するため、輸送時等におけるラベル２の折れ曲がりを防止できると共に、熱転写印画装置に熱転写シート１を容易に装填できる。ラベル２のうち、熱転写シート１の端縁１ａから外側に張り出している部分には接着剤等が付されていないため、ラベル２を熱転写シート１と共に、供給軸芯７から容易に分離できる。
【００３５】
図２（ａ）は実施の形態に係る受像シート１０の平面図であり、図２（ｂ）は受像シート１０を巻き取った受像シートロール１４の斜視図である。図２（ｂ）は巻芯の無い状態で受像シート１０を巻き取った受像シートロール１４の例を示しているが、巻芯があってもよい。
【００３６】
受像シート１０は、基材と、基材の表面(一方の面)側に設けられた受容層とを備える。受像シート１０の長手方向の後端側（受像シート１０を巻き取る際の巻き始め側）には、バーコードＢＣ２を印字したラベル１２が接着剤等により貼付されている。
【００３７】
ラベル１２は、バーコード印字部分の少なくとも一部が受像シート１０に重ならないように、すなわち受像シート１０の端縁（長側辺）１０ａよりも幅方向の外側にバーコード印字部分が張り出して位置するように貼付される。また、バーコードＢＣ２が受像シート１０の表面側を向くようにラベル２が貼付される。これにより、受像シート１０を巻き取った際にバーコードＢＣ２が外向きになる。ラベル１２の材料は特に限定されず、樹脂フィルムや紙類が使用できる。
【００３８】
バーコードＢＣ２は、受像シート１０の品種に対応する情報を示す。また、バーコードＢＣ２に、スリット加工、小巻加工ロット等のシート加工途中の製造情報やトレーサビリティ情報を付与してもよい。
【００３９】
受像シート１０は、図２（ｂ）に示すようなロール状態で出荷され、後述する熱転写印画装置に装填される。上述したように、ラベル１２のバーコード印字部分は、受像シート１０の端縁１０ａよりも外側に位置する。そのため、図２（ｂ）に示すように、ラベル１２のバーコード印字部分が受像シートロール１４の端面よりも巻芯方向外側に張り出して位置し、バーコードＢＣ２が見えるようになっている。
【００４０】
受像シート１０を巻き取ると、ラベル１２は、受像シート１０の巻回体である受像シートロール１４の中心孔１５の外周に沿って延在する。受像シート１０の長手方向のラベル１２の長さＬ３（図２（ａ）参照）を、中心孔１５の外周長以下とし、受像シート１０を巻き取った際にラベル１２の両端が重ならないようにすることが好ましい。なお、ラベル１２をバーコードＢＣ２が受像シート１０の裏面側を向くように貼付する場合は、後述するセンサ１２２でバーコードＢＣ２を読み取り易くするように、ラベル１２の長さＬ３を、中心孔１５の外周長の１／２以下にすることが好ましい。
【００４１】
受像シート１０の短手方向におけるラベル１２の長さＬ４を、受像シート１０の幅（短手方向の長さ）ｄよりも長くする、より詳細には、ラベル１２の長さＬ４を、受像シート１０の幅ｄと、ラベル１２のバーコード印字部分の長さＬ５との合計以上とすることが好ましい。これにより、ラベル１２の端縁１２ａ、１２ｂが受像シート１０に重ならなくなり、受像シート１０に端縁１２ｂによる圧痕が形成されることを防止できる。ラベル１２のうち、受像シート１０の端縁１０ａから外側に張り出している部分には接着剤等が付されていないため、後述する巻取部品１２４への装／脱着を容易に行える。
【００４２】
端面からラベル１２の一部が張り出した受像シートロール１４は、樹脂カバー等で覆ってラベル１２が折れ曲がらないようにして輸送することが好ましい。
【００４３】
図３は、本発明の実施の形態に係る熱転写印画装置の概略構成図である。熱転写印画装置は、熱転写シート１を用いて、受像シート１０上にイエロー染料、マゼンタ染料、シアン染料を昇華転写させて画像を印画するサーマルヘッド１０１を備えている。
【００４４】
サーマルヘッド１０１の下流側の供給部１０３に、熱転写シート１を巻き付けた供給軸芯７が取り付けられる。サーマルヘッド１０１の上流側の回収部１０４に巻取軸芯６が取り付けられる。供給部１０３から繰り出された熱転写シート１は、サーマルヘッド１０１を通って、回収部１０４に回収され、巻取軸芯６に巻き取られる。
【００４５】
図３、図４に示すように、供給部１０３には、ラベル２のバーコードＢＣ１を読み取るセンサ１２０が設けられている。ラベル２のバーコード印字部分は熱転写シートロール１Ｂの端面よりも外側に位置しているため、センサ１２０は熱転写シート１の使用開始前、使用途中、使用後等、いつでもバーコードＢＣ１を読み取ることができる。
【００４６】
サーマルヘッド１０１の下方側には回転自在なプラテンロール１０２が設けられている。サーマルヘッド１０１及びプラテンロール１０２を含む印画部１４０は、受像シート１０及び熱転写シート１を挟み込み、熱転写シート１を加熱して受像シート１０上に染料を熱転写することで画像を形成する。
【００４７】
サーマルヘッド１０１の上流側には、受像シート１０の搬送を行うための回転駆動自在なキャプスタンローラ１０９ａと、キャプスタンローラ１０９ａに受像シート１０を圧着させるためのピンチローラ１０９ｂが設けられている。
【００４８】
図５に示すように、受像シートロール１４の中心孔１５に巻軸部品１２４を嵌入して受像シートロール１４が装填される。駆動部１２６が巻軸部品１２４を回転（正転／逆転）させると、受像シートロール１４が回転し、受像シート１０の繰り出し（前方側への搬送）や巻取り（後方側への搬送）が行われる。端面からラベル１２の一部が張り出した受像シートロール１４に巻取部材１２４を挿入する際に、ラベル１２が折れ曲がらないように、巻取部材１２４先端にテーパを設けたり、駆動部１２６とラベル１２との接触防止のために受像シートロール１４の規制ガイドを設けたりすることが望ましい。
【００４９】
駆動部１２６内、又は駆動部１２６の近傍に、ラベル１２のバーコードＢＣ２を読み取るセンサ１２２が設けられている。ラベル１２のバーコード印字部分は受像シートロール１４の端面よりも外側に位置しているため、センサ１２２は受像シート１０の使用開始前、使用途中、使用後等、いつでもバーコードＢＣ２を読み取ることができる。
【００５０】
印画部１４０で画像形成された受像シート１０は、下流側でカッター１０８によりプリント枚葉Ｐとして切り出される。プリント枚葉Ｐは、図示を省略する排出口から排出される。
【００５１】
制御装置１１０は、熱転写印画装置の各部の駆動を制御し、熱転写シート１及び受像シート１０の識別処理や、印画処理を行う。制御装置１１０は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等からなる記憶部１１２を有したコンピュータである。記憶部１１２は、制御プログラム及びテーブルＴを格納する。ＣＰＵが制御プログラムを実行することで、識別部１１１での熱転写シート１及び受像シート１０の品種識別が実現される。
【００５２】
テーブルＴには、バーコードＢＣ１から読み取られる情報と、熱転写シート１の品種とが対応付けて記録されている。また、テーブルＴには、バーコードＢＣ２から読み取られる情報と、受像シート１０の品種とが対応付けて記録されている。テーブルＴに、熱転写シート１や受像シート１０の品種毎に好適な印画条件（印画速度、印画時の印加エネルギー）や、熱転写シート１と受像シート１０との組み合わせを記録してもよい。
【００５３】
識別部１１１は、テーブルＴを参照し、センサ１２０の読み取り結果から、熱転写印画装置に装填されている熱転写シート１の品種を識別する。また、識別部１１１は、テーブルＴを参照し、センサ１２２の読み取り結果から、熱転写印画装置に装填されている受像シート１の品種を識別する。また、識別部１１１は、バーコードＢＣ１，ＢＣ２に付与されている製造情報等を検出できる。
【００５４】
制御装置１１０は、識別した熱転写シート１及び／又は受像シート１０の品種に応じた印画条件に基づいて、印画処理を制御する。また、制御装置１１０は、熱転写印画装置に装填されている熱転写シート１の品種と受像シート１０の品種とが対応するものでない場合、警告音や警告表示を出力したり、印画処理を中止したりしてもよい。
【００５５】
このように、熱転写シート１に貼付したラベル２のバーコードＢＣ１を読み取り、熱転写シート１の品種を精度良く識別できる。また、受像シート１０に貼付したラベル１２のバーコードＢＣ２を読み取り、受像シート１０の品種を精度良く識別できる。
【００５６】
ラベル２，１２のバーコード印字部分は、ロール１Ｂ，１４の端面よりも外側に位置しているため、情報を常時検出できる。
【００５７】
熱転写シート１、受像シート１０の各層の印刷後にラベル２，１２を貼付すればよいため、シート加工途中の製造情報をバーコードＢＣ１，ＢＣ２に付与できる。
【００５８】
ラベル２，１２は熱転写シート１、受像シート１０の巻き付けによりシート間に挟み込まれているため、外力や経時によるラベル２，１２の剥離・落下を防止できる。
【００５９】
ラベル２は熱転写シート１の後端に貼付しているため、供給軸芯７からの剥がし作業が不要であり、供給軸芯７の再利用が容易となる。
【００６０】
上記実施形態では、熱転写シート１の後端部にラベル２を貼付する構成について説明したが、図６（ａ）に示すように、熱転写シート１の後端側を幅広の接合テープ９Ａで供給軸芯７に接合し、この接合テープ９Ａにラベル２を貼付してもよい。ラベル２は接合テープ９Ａと熱転写シート１との間に位置してもよい。
【００６１】
図６（ｂ）（ｃ）に示すように、熱転写シート１の後端部と、供給軸芯７とをリーダフィルム２０，２１を介して接続し、ラベル２をリーダフィルム２０，２１に貼付してもよい。熱転写シート１の後端部とリーダフィルム２０，２１とが接合テープ９Ｂで接合され、リーダフィルム２０，２１と供給軸芯７とが接合テープ９Ｃで接合される。
【００６２】
リーダフィルム２０は、熱転写シート１の短手方向における長さＬ６が、熱転写シート１の幅（短手方向の長さ）Ｄよりも長い。リーダフィルム２１は、熱転写シート１の短手方向における長さＬ７が、熱転写シート１の幅Ｄと同程度となっている。ラベル２は、バーコード印字部分が熱転写シート１の端縁１ａよりも幅方向の外側に位置するように、リーダフィルム２０，２１に貼付される。
【００６３】
図６（ｄ）に示すように、リーダフィルム２０の端部にバーコードＢＣ１を印字してもよい。バーコード印字部分が熱転写シート１の端縁１ａよりも幅方向の外側に位置するように、リーダフィルム２０と熱転写シート１とを接合する。
【００６４】
図７（ａ）に示すように、熱転写シート１の先端側にラベル２を貼付してもよい。熱転写シート１の先端側にラベル２を貼付する場合、熱転写印画装置のセンサ１２０は回収部１０４側に設けられる。
【００６５】
図７（ｂ）に示すように、熱転写シート１の先端側を幅広の接合テープ８Ａで巻取軸芯６に接合し、この接合テープ８Ａにラベル２を貼付してもよい。ラベル２は接合テープ８Ａと熱転写シート１との間に位置してもよい。
【００６６】
図７（ｃ）（ｄ）に示すように、熱転写シート１の先端部と、巻取軸芯６とをリーダフィルム２２，２３を介して接続し、ラベル２をリーダフィルム２２，２３に貼付してもよい。熱転写シート１の先端部とリーダフィルム２２，２３とが接合テープ８Ｂで接合され、リーダフィルム２２，２３と巻取軸芯６とが接合テープ８Ｃで接合される。
【００６７】
リーダフィルム２２は、熱転写シート１の短手方向における長さＬ８が、熱転写シート１の幅Ｄよりも長い。リーダフィルム２３は、熱転写シート１の短手方向における長さＬ９が、熱転写シート１の幅Ｄと同程度となっている。ラベル２は、バーコード印字部分が熱転写シート１の端縁１ａよりも幅方向の外側に位置するように、リーダフィルム２２，２３に貼付される。
【００６８】
図７（ｅ）に示すように、リーダフィルム２２の端部にバーコードＢＣ１を印字してもよい。バーコード印字部分が熱転写シート１の端縁１ａよりも幅方向の外側に位置するように、リーダフィルム２２と熱転写シート１とを接合する。
【００６９】
バーコードは、バーコードシンボル及びバーコードシンボルの両端のクワイエットゾーン（マージン）からなる。上記実施形態では、クワイエットゾーン及びバーコードシンボルの並び方向が、熱転写シート１、受像シート１０の長手方向と平行となるようにしていたが、平行でなくてもよい。また、バーコードでなく、２次元コードや文字列など、他のコード情報としてもよい。
【００７０】
次に、熱転写シート１を構成する材料について説明する。
【００７１】
＜基材フィルム＞
熱転写シート１の基材フィルムとしては、従来公知のある程度の耐熱性と強度を有するものであればいずれのものでも良く、例えば、０．５μｍ以上５０μｍ以下好ましくは３μｍ以上１０μｍ以下程度の厚さのポリエチレンテレフタレートフィルム、１，４−ポリシクロヘキシレンジメチレンテレフタレートフィルム、ポリエチレンナフタレートフィルム、ポリフェニレンサルファイドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等の樹脂フィルムの他に、コンデンサー紙、パラフィン紙等の紙類や不織布等、又は紙や不織布と樹脂との複合体であってもよい。
【００７２】
＜染料層＞
染料層は、昇華性染料を含む層として形成する。
【００７３】
染料としては、公知の熱転写シートに使用されている染料は、いずれも本発明に使用可能であり、特に限定されない。これらの染料としてはジアリールメタン系、トリアリールメタン系、チアゾール系、メロシアニン等のメチン系、インドアニリン系、アセトフェノンアゾメチン，ピラゾロアゾメチン，イミダゾルアゾメチン，ピリドンアゾメチン等のアゾメチン系、キサンテン系、オキサジン系、ジシアノスチレン，トリシアノスチレンに代表されるシアノメチレン系、チアジン系、アジン系、アクリジン系、ベンゼンアゾ系、ピリドンアゾ，チオフェンアゾ，イソチアゾールアゾ，ピロールアゾ，ピラゾールアゾ，イミダゾールアゾ，チアジアゾールアゾ，トリアゾールアゾ，ジスアゾ等のアゾ系、スピロピラン系、インドリノスピロピラン系、フルオラン系、ローダミンラクタム系、ナフトキノン系、アントラキノン系、キノフタロン系等があげられる。
【００７４】
染料層は、基材フィルムの一方の面に、これらの染料及びバインダー樹脂、必要に応じて顔料、導電剤の少なくとも１つを添加して、トルエン、メチルエチルケトン、エタノール、イソプロピルアルコール、シクロヘキサノン、ＤＭＦ等の適当な有機溶剤に溶解したり、あるいは有機溶剤や水等に分散させたりして、例えば、グラビア印刷法、スクリーン印刷法、リバースロールコーティング印刷法等の手段により塗布および乾燥することにより形成できる。染料層の厚みは、乾燥後の厚みで０．２μｍ以上６．０μｍ以下、好ましくは０．２μｍ以上３．０μｍ以下程度である。
【００７５】
＜保護層＞
保護層には、従来から保護層形成用樹脂として知られている各種の樹脂を使用できる。保護層形成用樹脂としては、例えば、ポリエステル樹脂、ポリスチレン樹脂、アクリル樹脂、ポリウレタン樹脂、アクリルウレタン樹脂、塩化ビニル−酢酸ビニル共重合体、これらの各樹脂をシリコーン変性させた樹脂、これらの各樹脂の混合物等を例示できる。保護層は、例えばグラビア印刷法により形成される。保護層の厚さは、乾燥後の厚みで０．１μｍ以上２．０μｍ以下であることが好ましい。
【００７６】
次に、受像シート１０を構成する材料について説明する。
【００７７】
＜基材＞
受像シート１０の基材としては、合成紙（ポリオレフィン系、ポリスチレン系等）、上質紙、アート紙、コート紙、キャストコート紙、壁紙、裏打用紙、合成樹脂又はエマルジョン含浸紙、合成ゴムラテックス含浸紙、合成樹脂内添紙、板紙等、セルロース繊維紙、ポリオレフィン、ポリ塩化ビニル、ポリエチレンテレフタレート、ポリスチレン、ポリメタクリレート、ポリカーボネート等の各種のプラスチックのフィルム又はシート等が使用出来、又、これらの合成樹脂に白色顔料や充填剤を加えて成膜した白色不透明フィルム或いは、上記合成樹脂のベース樹脂と非相溶な樹脂や、充填剤等のボイド作製開始剤として用いて、これらの混合物を延伸、成膜して、微細な空隙を有するプラスチックシート等も使用でき、特に限定されない。
【００７８】
＜受容層＞
受像シート１０の受容層は、色材を染着し易い樹脂を主成分とするワニスに、離型剤とその他必要に応じて、各種添加剤を加えて構成される。染着し易い樹脂は、代表的なものとしては、ポリプロピレン等のポリオレフィン、ポリ塩化ビニル、ポリ塩化ビニリデン等のハロゲン化樹脂、ポリ酢酸ビニル、ポリアクリル酸エステル等のビニル系樹脂、及びその共重合体（塩化ビニル−酢酸ビニル共重合体等）、ポリエチレンテレフタレート、ポリブチレンテレフタレート等のポリエステル系樹脂、ポリスチレン系樹脂、ポリアミド系樹脂、エチレンやプロピレン等のオレフィンと他のビニル系モノマーとの共重合体、ポリウレタン、ポリカーボネート、アクリル樹脂、アイオノマー、セルロース誘導体等の単体、又は混合物を用いることができ、これらの中でもポリエステル系樹脂、及びビニル系樹脂が好ましい。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８０】
１  熱転写シート
２  ラベル
３  Ｙ層（イエロー染料層）
４  Ｍ層（マゼンタ染料層）
５  Ｃ層（シアン染料層）
６  巻取軸芯
７  供給軸芯
８，９  接合テープ
１０  受像シート
１２  ラベル
１４  受像シートロール
１５  中心孔
１０１  サーマルヘッド
１０２  プラテンロール
１０３  供給部
１０４  回収部
１１０  制御装置
１１１  識別部
１１２  記憶部
１２０，１２２  センサ
１４０  印画部
【図１】
2019155735.tif 000003
【図２】
2019155735.tif 000004
【図３】
2019155735.tif 000005
【図４】
2019155735.tif 000006
【図５】
2019155735.tif 000007
【図６】
2019155735.tif 000008
【図７】
2019155735.tif 000009